(57)【特許請求の範囲】
【請求項１】
コンクリート基礎の上端部にアンカーボルトの下部が埋設固定されて、前記アンカーボルトが前記コンクリート基礎の上面から突出させられたアンカーボルトを備えた基礎構造において、
前記アンカーボルトの中間部に補強プレートを遊挿し、かつ前記アンカーボルトに螺着した上下のナットにより前記補強プレートを挟み、該補強プレートを前記コンクリート基礎の上部に埋設固定してなり、
前記補強プレートが、前記アンカーボルトが遊挿しかつ前記コンクリート基礎の上部に埋設された水平板部と、前記水平板部の両端のそれぞれにおいて下方に向けて突設され、該コンクリート基礎の両側面に埋設係合する両側の側板部を有することを特徴とするアンカーボルト付基礎構造。
【請求項２】
対向する型枠間の上部にアンカープレートを保持させると共に、前記アンカープレートに上下に延びるアンカーボルトを保持させた状態で、前記型枠間に生コンクリートを前記アンカーボルトの下部が没入するまで流し込んだ後、前記生コンクリートを硬化させて前記型枠を取り外すアンカーボルト付基礎構造の施工方法において、
前記アンカーボルトが遊挿されかつ前記コンクリート基礎の上部に埋設される水平板部と、前記水平板部の両端のそれぞれにおいて下方に向けて突設され、該コンクリート基礎の両側面に埋設係合される両側の側板部を有する補強プレートを用い、
前記アンカープレートの下方に位置させた補強プレートの水平板部を前記アンカーボルトの中間部に遊挿し、かつ前記アンカーボルトに螺着した上下のナットにより前記補強プレートの水平板部を挟み、前記生コンクリートを前記補強プレートの水平板部及び両側の側板部の部分まで満たして硬化させることを特徴とするアンカーボルト付基礎構造の施工方法。
【発明の詳細な説明】
【技術分野】
【０００１】
本発明はアンカーボルト付基礎構造及びその施工方法に関する。
【背景技術】
【０００２】
従来、住宅等の建物の基礎構造では、コンクリート基礎の上端部にアンカーボルトの下部を埋設固定し、アンカーボルトをコンクリート基礎の上面から突出させている。
特許文献１には、アンカーボルトの中間部に補強プレートを螺着し、この補強プレートをコンクリート基礎の上端部に埋設固定するものが開示されている。これによれば、アンカーボルトに水平方向の外力が作用しても、この外力がアンカーボルトの部分からコンクリート基礎に直接入力されずに補強プレートを介して分散して入力されることになり、コンクリート基礎のアンカーボルトに対応する角部が破壊されるのを未然に防止できる。
【特許文献１】特開2002-88775
【発明の開示】
【発明が解決しようとする課題】
【０００３】
特許文献１のアンカーボルト付基礎構造には以下の不都合がある。
(1)対向する型枠間の上部にアンカープレートを保持させ、このアンカープレートに保持させたアンカーボルトに補強プレートを固定した状態で、生コンクリートを型枠間に流し込む前段階で、補強プレートの上下レベルを調整することができない。これは、補強プレートがアンカーボルトに螺着されて固定されているため、補強ボルトのレベル調整のために、補強プレートとアンカーボルトを相対的に螺動させようとすると、補強プレートは型枠に対して回動しない一方において、アンカーボルトが型枠に対して回動するものになり、ひいては基礎内の所定位置に設定されるべきアンカーボルトのフックがその所定位置から偏心してしまうという不都合を招いて妥当でないことによる。
【０００４】
(2)基礎への建物の据付直前に、アンカーボルトの位置を修正するため、アンカーボルトの周辺のコンクリートを一部切開等したくても、アンカーボルトの周辺でコンクリートを覆っている補強プレートがアンカーボルトに螺着していて、アンカーボルトから外すことができない。従って、補強プレートをコンクリート基礎の上部から剥がずことができず、アンカーボルトの位置を修正できない。
【０００５】
本発明の課題は、補強プレートを上部に埋設固定されるアンカーボルト付基礎構造において、生コンクリートを型枠間に流し込む前段階で補強プレートの上下レベルを調整可能にするとともに、建物の基礎への据付直前にアンカーボルトの位置を修正可能にすることにある。
【課題を解決するための手段】
【０００６】
請求項１の発明は、コンクリート基礎の上端部にアンカーボルトの下部が埋設固定されて、前記アンカーボルトが前記コンクリート基礎の上面から突出させられたアンカーボルトを備えた基礎構造において、前記アンカーボルトの中間部に補強プレートを遊挿し、かつ前記アンカーボルトに螺着した上下のナットにより前記補強プレートを挟み、該補強プレートを前記コンクリート基礎の上部に埋設固定してなり、前記補強プレートが、前記アンカーボルトが遊挿しかつ前記コンクリート基礎の上部に埋設された水平板部と、前記水平板部の両端のそれぞれにおいて下方に向けて突設され、該コンクリート基礎の両側面に埋設係合する両側の側板部を有するようにしたものである。
【０００７】
請求項２の発明は、対向する型枠間の上部にアンカープレートを保持させると共に、前記アンカープレートに上下に延びるアンカーボルトを保持させた状態で、前記型枠間に生コンクリートを前記アンカーボルトの下部が没入するまで流し込んだ後、前記生コンクリートを硬化させて前記型枠を取り外すアンカーボルト付基礎構造の施工方法において、前記アンカーボルトが遊挿されかつ前記コンクリート基礎の上部に埋設される水平板部と、前記水平板部の両端のそれぞれにおいて下方に向けて突設され、該コンクリート基礎の両側面に埋設係合される両側の側板部を有する補強プレートを用い、前記アンカープレートの下方に位置させた補強プレートの水平板部を前記アンカーボルトの中間部に遊挿し、かつ前記アンカーボルトに螺着した上下のナットにより前記補強プレートの水平板部を挟み、前記生コンクリートを前記補強プレートの水平板部及び両側の側板部の部分まで満たして硬化させるようにしたものである。
【発明の効果】
【０００９】
(a)対向する型枠間の上部にアンカープレートを保持させ、このアンカープレートに保持させたアンカーボルトに補強プレートを固定した状態で、生コンクリートを型枠間に流し込む前段階で、補強プレートの上下レベルを調整できる。これは、補強プレートがアンカーボルトに遊挿され、かつ上下のナットにより挟まれて固定されているため、上下のナットを緩めれば、補強プレートは型枠に沿って平行移動されてレベル調整できる。アンカーボルトは型枠に沿って平行移動し、型枠に対して回動するものでないから、そのフックが基礎内の所定位置からずれて偏心することがなく、そのフックを基礎内の所定位置に設定できる。
【００１０】
(b)基礎への建物の据付直前に、アンカーボルトの位置を修正するため、アンカーボルトの周辺のコンクリートを一部切開等しようとするとき、アンカーボルトの周辺でコンクリートを覆っている補強プレートがアンカーボルトに遊挿されていて螺着等されていないから、補強プレートをアンカーボルトから外すことができる。従って、補強プレートをコンクリート基礎の上部から剥がしとり、アンカーボルトの位置を修正できる。
【００１１】
(c)アンカーボルトに作用する外力はアンカーボルトからコンクリート基礎に直接入力されずに外力が作用する方向とは反対側の側板部で受けられる。この結果、アンカーボルトに大きな外力が入力されても、この入力によりコンクリート基礎のアンカーボルトに対応する角部が破壊されるようなことは回避される。
【００１２】
(d)前記(a)の如くに、生コンクリートを型枠間に流し込む前段階で補強プレートの上下レベルを調整でき、補強プレートを簡易かつ確実にコンクリート基礎の上部に埋設固定できる。
【発明を実施するための最良の形態】
【００１３】
図１はアンカーボルト付基礎構造を示す断面図、図２はアンカーボルト付基礎構造を示す模式斜視図、図３はアンカーボルト付基礎構造に建物構造体を据付けた例を示す断面図、図４は型枠にアンカープレートをセットした状態を示す断面図、図５はアンカーボルトに補強プレートを取着した状態を示す正面図、図６はアンカープレートにアンカーボルトをセットした状態を示す断面図、図７は補強プレートのレベル調整状態を示す断面図、図８は生コンクリートの流し込み状態を示す断面図である。
【実施例】
【００１４】
図１において、地面２０には建物に沿わせる基礎溝２１が形成され、基礎溝２１の底部に割栗を投入して搗固た割栗層２２が形成されている。この割栗層２２上にはコンクリートを打って形成したフーチング層２３が形成され、このフーチング層２３上にはコンクリート基礎２４が形成されている。このコンクリート基礎２４の上端部にはアンカーボルト２５の下部が埋設固定されて、アンカーボルト２５の上端部がコンクリート基礎２４の上面から突出させられている。このアンカーボルト２５は、図１、図２において、コンクリート基礎２４の幅方向中央から右側にずらして配置されているので、右側の角部２４ａがアンカーボルト２５に外力が矢印Ｂ方向から作用したとき、アンカーボルト２５からコンクリート基礎２４に外力が直接入力された場合には、アンカーボルト２５から受ける外力で角部２４ａが破壊されやすい傾向にある。
【００１５】
しかし、コンクリート基礎２４の上端部には、図１、図２に示したように、アンカーボルト２５に対応して補強プレート２６が埋設固定されている。このとき、アンカーボルト２５には補強プレート２６が遊挿されるとともに、後に詳述する上下のナット２７ａ、２７ｂが螺着され、下ナット２７ｂは補強プレート２６の下面側にてコンクリート基礎２４に埋設される。
【００１６】
補強プレート２６は、コンクリート基礎２４の上部に埋設された水平板部２６ａと、水平板部２６ａの左端と右端のそれぞれにおいて下方に向けて突設された側板部２６ｂ、２６ｃを有する。側板部２６ｂは、アンカーボルトに矢印Ｂで示した外力が作用する方向と反対側の側面において、コンクリート基礎２４の上端部の側部に埋設係合している。この水平板部２６ａの上面はコンクリート基礎２４の上面と面一に形成され、側板部２６ｂ、２６ｃの外側面はコンクリート基礎２４の側面と面一に形成されている。尚、この補強プレート２６には金属プレートを用いることができるが、この場合にはコンクリート等に含まれる成分と化学反応をしない材質のものが用いられる。また、この補強プレート２６には金属以外の合成樹脂材料やその他の材料を用いることもできる。要は、アンカーボルトＢに作用する外力がアンカーボルト２４からコンクリート基礎２４に直接入力されて局部的に作用せず、この外力が分散されてコンクリート基礎２４に入力されたコンクリート基礎２４の部分的破損を防止できれば良い。
【００１７】
尚、水平板部２６ａには、アンカーボルト２５が遊挿されるボルト挿通穴２８と確認穴２９が形成されている。
【００１８】
このような構造において、アンカーボルト２５に水平方向の外力が矢印Ｂ方向から作用すると、この外力がアンカーボルト２５の部分からコンクリート基礎２４に直接入力されずに補強プレート２６を介して分散して入力されることになる。この際、アンカーボルト２５に作用する外力は、外力が作用する方向とは反対側の側板部２６ｂを介してコンクリート基礎２５に入力される。この結果、アンカーボルト２５に大きな外力が矢印Ｂ方向から入力されても、この入力によりコンクリート基礎２４のアンカーボルト２５に対応する角部２４ａが破壊されるようなことは回避される。このように、コンクリート基礎２４のアンカーボルト２５に対応する角部２４ａが破壊されるのを未然に防止できる。
【００１９】
尚、コンクリート基礎２４の上面に据付けられる建物構造体の床梁１は、図３に示す如く、コンクリート基礎２４の上面に突出しているアンカーボルト２５に挿通され、アンカーボルト２５に螺着される上ナット２７Ａによりコンクリート基礎２４に締結される。
【００２０】
以下、コンクリート基礎２４の施工手順について説明する。
(1)図４に示す如く、地面２０に建物に沿わせる基礎溝２１を形成し、基礎溝２１の底部に割栗を投入して搗固て割栗層２２を形成し、割栗層２２上にコンクリートを打ったフーチング層２３を形成する。次に、このフーチング層２３上に型枠３０、３０を対向させると共に間隔を置いて配設し、この型枠３０、３０を図示しない支持部材で地面２０に支持させる。型枠３０の天端にスペーサ３１を配置する。
【００２１】
(2)アンカープレート３２の両端部を型枠３０、３０の上のスペーサ３１に載せ、このアンカープレート３２を浮き上がり防止金具３３でスペーサ３１とともに型枠３０に保持させる。
【００２２】
(3)図５に示す如く、アンカーボルト２５の中間部に補強プレート２６のボルト挿通穴２８を遊挿し、かつアンカーボルト２５に螺着した上下のナット２７ａ、２７ｂにより補強プレート２６を挟み、アンカーボルト２５に補強プレート２６を取着する。補強プレート２６に対するアンカーボルト２５の首出し長さを一定長さにセットする。
【００２３】
(4)図６に示す如く、補強プレート２６を取着したアンカーボルト２５の上端部をアンカープレート３２に遊挿し、かつアンカーボルト２５に螺着した２個のナット３４ａ、３４ｂによりアンカープレート３２を挟み、アンカープレート３２にアンカーボルト２５を保持させる。アンカーボルト２５のフック２５ａがコンクリート基礎２４の内部の所定位置たる厚み中央部に設定され得るように、このフック２５ａを相対する型枠３０、３０の間隔の概ね中央部にセットする。
【００２４】
(5)補強プレート２６の上下レベルを必要により調整する。図７に示す如く、アンカーボルト２５に螺着してある上下のナット２７ａ、２７ｂを緩めることにより、補強プレート２６は上下のナット２７ａ、２７ｂの間隔Ｌの範囲内で型枠３０の内側面に沿って平行移動されてレベル調整できる。
【００２５】
(6)型枠３０、３０間に生コンクリート３４を図８に示したように流し込む。この際、生コンクリート３４はアンカーボルト２５の下部が没入するまで流し込むと共に、生コンクリート３４を補強プレート２６の部分まで満たす。しかも、このときに生コンクリート３４がコンクリート確認穴２９から上方に溢れ出始めたのを確認して、この位置で生コンクリートの流し込みを停止する。このようにすることで、補強プレート２６を目安に生コンクリート３４の流し込み高さを容易に確認できる。このとき、下ナット２７ｂは補強プレート２６の下面側にて生コンクリートに埋設される。
【００２６】
(7)生コンクリート３４を硬化した後、型枠３０、３０を取外して形成したコンクリート基礎２４の周囲に土盛りすることで、コンクリート基礎２４にアンカーボルト２５及び補強プレート２６が取付けられた基礎構造の施工が完了し、図１に示したような基礎構造が得られる。
【００２７】
本実施例によれば以下の作用効果を奏する。
(a)対向する型枠３０間の上部にアンカープレート３２を保持させ、このアンカープレート３２に保持させたアンカーボルト２５に補強プレート２６を固定した状態で、生コンクリート３４を型枠３０間に流し込む前段階で、補強プレート２６の上下レベルを調整できる。これは、補強プレート２６がアンカーボルト２５に遊挿され、かつ上下のナット２７ａ、２７ｂにより挟まれて固定されているため、上下のナット２７ａ、２７ｂを緩めれば、補強プレート２６は型枠３０に沿って平行移動されてレベル調整できる。アンカーボルト２５は型枠３０に沿って平行移動し、型枠３０に対して回動するものでないから、そのフック２５ａが基礎２４内の所定位置からずれて偏心することがなく、そのフック２５ａを基礎２４内の所定位置に設定できる。
【００２８】
(b)基礎２４への建物の据付直前に、アンカーボルト２５の位置を修正するため、アンカーボルト２５の周辺のコンクリートを一部切開等しようとするとき、アンカーボルト２５の周辺でコンクリートを覆っている補強プレート２６がアンカーボルト２５に遊挿されていて螺着等されていないから、補強プレート２６をアンカーボルト２５から外すことができる。従って、補強プレート２６をコンクリート基礎２４の上部から剥がしとり、アンカーボルト２５の位置を修正できる。
【００２９】
(c)アンカーボルト２５に作用する外力はアンカーボルト２５からコンクリート基礎２４に直接入力されずに外力が作用する方向とは反対側の側板部で受けられる。この結果、アンカーボルト２５に大きな外力が入力されても、この入力によりコンクリート基礎２４のアンカーボルト２５に対応する角部２４ａが破壊されるようなことは回避される。
【００３０】
(d)前記(a)の如くに、生コンクリート３４を型枠３０間に流し込む前段階で、補強プレート２６の上下レベルを調整でき、補強プレート２６を簡易かつ確実にコンクリート基礎２４の上部に埋設固定できる。
【００３１】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３２】
【図１】図１はアンカーボルト付基礎構造を示す断面図である。
【図２】図２はアンカーボルト付基礎構造を示す模式斜視図である。
【図３】図３はアンカーボルト付基礎構造に建物構造体を据付けた例を示す断面図である。
【図４】図４は型枠にアンカープレートをセットした状態を示す断面図である。
【図５】図５はアンカーボルトに補強プレートを取着した状態を示す正面図である。
【図６】図６はアンカープレートにアンカーボルトをセットした状態を示す断面図である。
【図７】図７は補強プレートのレベル調整状態を示す断面図である。
【図８】図８は生コンクリートの流し込み状態を示す断面図である。
【符号の説明】
【００３３】
２４  コンクリート基礎
２５  アンカーボルト
２６  補強プレート
２６ａ  水平板部
２６ｂ、２６ｃ  側板部
２７ａ、２７ｂ  ナット
３０  型枠
３２  アンカープレート
【図１】
0004758803.tif 000002
【図２】
0004758803.tif 000003
【図３】
0004758803.tif 000004
【図４】
0004758803.tif 000005
【図５】
0004758803.tif 000006
【図６】
0004758803.tif 000007
【図７】
0004758803.tif 000008
【図８】
0004758803.tif 000009